(57)【要約】【課題】小型、且つ小電力でオーバーハウザー効果を利用して電子スピン共鳴状態を測定できるようにする。【解決手段】円筒形の永久磁石１２とこの周面に非磁性体１３ａ、１３ｂを介して対向配置された一対のヨーク１４ａ、１４ｂとで磁場発生手段を構成し、モータ１５によって、永久磁石１２の回転角度を制御する。第１段階で静磁場Ａにおける磁束密度とＲＦコイル１６の高周波磁場周波数をそれぞれＢ１、ｆ１に制御して電子スピン共鳴状態を生成する。第２段階で静磁場Ａにおける磁束密度とＲＦコイル１６の高周波磁場周波数をそれぞれＢ２（＞Ｂ１）、ｆ２（＜ｆ１）に制御して核スピン共鳴状態を生成し、前記電子スピン共鳴状態を、第２段階で前記核スピン共鳴状態に変換させて間接的に測定する。【選択図】  図１
2005147693.tif 000002
【特許請求の範囲】
【請求項１】
測定対象に対して静磁場を永久磁石により与える磁場発生手段と、
前記永久磁石の磁極の位置を変更することにより前記静磁場の磁束密度を制御する磁場制御手段と、
測定対象に対して第１段階と第２段階でそれぞれ異なった周波数の高周波磁場を与える電磁波発生手段とを備え、
前記磁場制御手段は、第１段階で磁束密度をＢ１に、第２段階でＢ２に制御し、
前記電磁波発生手段は、第１段階で電磁波の周波数をｆ１に、第２段階でｆ２に制御し、
第１段階で生じた測定対象内における電子スピン共鳴状態を、第２段階で核スピン共鳴状態に変換させて間接的に測定することを特徴とする、電子スピン共鳴状態測定装置。
【請求項２】
前記磁場制御手段が制御する磁束密度はＢ１＜Ｂ２であり、前記電磁波発生手段が制御する周波数はｆ１＞ｆ２である、請求項１記載の電子スピン共鳴状態測定装置。
【請求項３】
前記磁場発生手段は、周面に異なった磁極が形成された円筒形の永久磁石と、この永久磁石の周面に対向配置された一対のヨークとで構成し、前記ヨークの周辺空間に磁場を開放して静磁場を形成する請求項１又は２記載の電子スピン共鳴状態測定装置。
【請求項４】
前記磁場制御手段は、前記永久磁石を回転駆動する回転駆動部を備え、この回転駆動部により永久磁石を回転駆動することにより、前記静磁場の磁束密度を制御する請求項３記載の電子スピン共鳴状態測定装置。
【請求項５】
測定対象に対して均一な静磁場と電磁波を与えて測定対象内における電子スピン共鳴状態を測定する方法において、
第１段階で、前記静磁場の磁束密度をＢ１にするように永久磁石の磁極の位置を設定し、前記電磁波の周波数をｆ１に制御して測定対象内における電子スピン共鳴状態を生じさせ、第２段階で、前記静磁場の磁束密度をＢ２にするように永久磁石の磁極の位置を設定し、前記電磁波の周波数をｆ２に制御して、前記電子スピン共鳴状態を核スピン共鳴状態に変換して間接的に測定することを特徴とする電子スピン共鳴状態測定方法。
【発明の詳細な説明】
【技術分野】
【０００１】
本発明は、生体中、物質中等に存在するラジカルの状態を知るための電子スピン共鳴を測定する装置に関する。
【背景技術】
【０００２】
電子スピン共鳴は、生体中や物質中等に存在するラジカルの状態を知るのに優れた方法であるとされ、その応用分野は、医学、生物学、生命科学一般、材料評価、物性研究一般等非常に広範囲な分野に及んでいる。たとえば、生体中のラジカルの状態が可視化されれば、癌の発生機構、老化の機構等の解明に役立つ情報を得ることが可能になる。
【０００３】
電子スピン共鳴画像を測定するために、電子スピン共鳴信号そのものを用いて可視化、すなわち画像化する方法が検討されている。しかし、電子スピンの緩和時間が短いので空間分布の画像化が難しく、また、電子スピン共鳴に使用するマイクロ波による加熱等の問題（特に、生体には不適）やマイクロ波の表皮効果の問題があるため、実用化には多くの困難さを伴う。そこで、電子スピン共鳴を起こさせ、その影響を電子スピン−核スピン間のスピン結合を介して核スピンに与えた状態（オーバーハウザー効果）で、核スピン、たとえばプロトン（水素の原子核）の画像化を行う方法が提案されている。この方法は、電子スピンの空間分布をプロトン像として可視化する方法である。なお、電子スピンと核スピンは、ハイパーファイン相互作用を通してそれぞれの持っている角運動量のやり取りを行い、励起された電子スピンが緩和すれば、角運動量の保存により核スピンが偏極される。このような効果を、通常オーバーハウザー効果と称する。
【０００４】
電子スピンの共鳴周波数はプロトンのそれに比べ約６６０倍大きい。たとえば、磁束密度０．１Ｔにおけるプロトンの共鳴周波数は約４．２５ＭＨｚであるが、電子スピンの共鳴周波数は２．８ＧＨｚである。しかし、生体系を測定対象にすると、２．８ＧＨｚのマイクロ波照射をした場合、その電力が一定以上に大きいと生体系が加熱されてしまい生きた状態での測定が不可能となってしまう。また、マイクロ波の表皮効果のため小動物すら測定対象にすることが出来ない。
【０００５】
磁気共鳴信号の検出感度は原理的には用いる静磁場の磁束密度の２乗に比例する。実際には、磁束密度を高くすると共鳴周波数も高くなり信号検出系の高周波損失が大きくなるため、信号検出感度は磁束密度の１〜７／４乗に比例するといわれている。
【０００６】
したがって、核スピン共鳴信号検出のためにはできるだけ高い磁場を用いるのがよいが、上述の理由で電子スピン共鳴のためにはできるだけ低い磁場を用いる方がよいということになる。
【０００７】
そこで、電子スピンは低い磁場で共鳴させ、画像化のための核スピン信号はできるだけ高い磁場で観測するのが望ましく、そのためには、２つの大きさの磁束密度を急速に切り換えて磁気共鳴を行えばよいということになる。
【０００８】
上記の目的のため、先行技術として、電磁石に流す電流を切り換えたり、高い磁場の磁石の中にそれと逆向きの磁場を発生する空心コイルを設置し、これに流す電流をオンオフすることによって、強弱２種の磁場を発生させていた（例えば、非特許文献１参照）。
【非特許文献１】Magnetic Resonance in Medicine 47:181186(2002) 181page以下
【発明の開示】
【発明が解決しようとする課題】
【０００９】
上記先行技術では、いずれも高速に磁束密度を変化させるためには空心コイルを用いることが必要であり、高い磁場を発生させるのに非常に大きな電力が必要になり、また装置が大型化する不都合があった。
【００１０】
本発明は、小型、且つ小電力でオーバーハウザー効果を利用した電子スピン共鳴状態を測定可能にすることを目的とする。
【課題を解決するための手段】
【００１１】
測定対象に対して静磁場を与える手段として永久磁石を使用する。そして永久磁石の磁極の位置を変更することによって第１段階で磁束密度をＢ１に第２段階で磁束密度をＢ２に制御する。また、前記第１段階において電磁波の周波数をｆ１に制御し、前記第２段階で電磁波の周波数をｆ２に制御する。
【００１２】
このように構成することで、従来の装置に使用されているような空心コイルを使用する必要がないため省電力化と小型化が実現可能である。
【００１３】
本発明の電子スピン共鳴状態測定装置は、測定対象を生体に限定するものではないが、測定対象を生体とする場合には、磁束密度と周波数の関係は、Ｂ１＜Ｂ２、ｆ１＞ｆ２の条件を少なくとも満たす必要があり、望ましくは、Ｂ１＝０．００１Ｔ〜０．０１Ｔ程度に設定するべきである。電子スピンの共鳴周波数はプロトンのそれに比べ約６６０倍大きいために、Ｂ１＝０．００１Ｔ、Ｂ２＝０．１Ｔとすれば、ｆ１＝２８．０ＭＨｚ、ｆ２＝４．２５ＭＨｚとなる。
【００１４】
永久磁石の磁極の位置を変更することにより静磁場の磁束密度を制御する具体的な構成として、円筒形の永久磁石の周面に一対のヨークを対向配置する構造が考えられる。ヨークは、例えば、非磁性体を介して対向配置する。静磁場は、ヨーク間隙空間およびヨーク周辺空間に形成される。このような構造で、永久磁石を回転すれば、静磁場における磁束密度を変化させることができるから、静磁場の磁束密度が制御可能となる。なお、永久磁石を回転駆動するにはモータ等の回転駆動部を設けるのが最も適当であり、望ましくは、高トルクのモータを使用して、切り換えをできるだけ急速にすることが好ましい。
【発明の効果】
【００１５】
本発明の電子スピン共鳴状態測定装置は、オーバーハウザー効果を利用することによりラジカルの空間分布を核スピン画像として容易に可視化することができる。そして、静磁場の強弱（磁束密度）を永久磁石の空間的位置を変えることによって可変するようにしているために、空心コイルを使用する必要がなく、したがって、小型で且つ省電力の構成にすることができる。
【発明を実施するための最良の形態】
【００１６】
図１は、本発明の実施形態である電子スピン共鳴状態測定装置の構成図である。
【００１７】
この電子スピン共鳴状態測定装置は、装置本体１と、全体の制御を司る制御部２と、永久磁石の回転軸に連結されたモータを駆動制御するモータ駆動部３と、ＲＦコイルに接続されるＲＦ制御部４と、ＲＦ制御部４に接続され、測定対象内における電子スピン共鳴状態を核スピン共鳴状態に変換させて可視化する可視化部５とを備えている。
【００１８】
装置本体１は、測定対象である被検体Ｂを置くための被検体載置台１０ａが設けられているテーブル１０と、後述の磁場発生部を垂下状態で支持する支持手段１１とを備えている。この支持手段１１は、その下端部がテーブル１０の案内部１０ｂに移動自在に取り付けられ、図の矢印Ｐ方向に移動可能となっている。
【００１９】
前記支持部材１１により支持される磁場発生手段は、周面に異なった磁極（Ｎ極とＳ極）が着磁されている円筒形の永久磁石１２と、この永久磁石１２の周面に上下の非磁性体１３ａ、１３ｂを介して対向配置された一対のヨーク１４ａ、１４ｂとを備えている。永久磁石１２と非磁性体１３ａ、１３ｂ及び一対のヨーク１４ａ、１４ｂとの隙間は非常に小さく、この部分での漏れ磁束量が多くならないようにしている。
【００２０】
前記磁場発生手段を構成する永久磁石１２の回転軸は、一端が図示しない軸受けで支持され、他端がモータ１５に連結されている。モータ１５には、永久磁石１２の回転角度を正確に制御できるよう、たとえばステッピングモータが使用される。また、急速に回転できるよう高トルクのものが使用される。モータ駆動部３によってこのモータ１５が制御されて、永久磁石１２の角度が精密に制御される。
【００２１】
磁場発生手段を上記のように構成することで、本装置では、永久磁石１２の下方で、且つ非磁性体１３ｂの下方の周辺空間にヨーク１４ａ、１４ｂの底面から磁束が漏れ、これにより静磁場Ａが形成される。この静磁場Ａは、永久磁石１２の位置が安定している限り均一なものとなる。
【００２２】
前記静磁場Ａには、所定の高周波磁場（回転磁場）を発生し、且つ共鳴信号を受信するためのＲＦコイル１６が配置されている。このＲＦコイル１６にはＲＦ制御部４が接続され、可視化部５は、ＲＦ制御部４で受信した共鳴信号を画像化して出力する。
【００２３】
制御部２は、モータ駆動部３及びＲＦ制御部４に対して本装置が電子スピン共鳴モード（ＥＳＲモード）で動作するか、核スピン共鳴モード（ＮＭＲモード）で動作するかを示す信号を出力する。すなわち、第１段階でＥＳＲモードで動作させ、第２段階でＮＭＲモードで動作させることにより、オーバーハウザー効果により被検体Ｂ内で生じた電子スピン共鳴状態を核スピン共鳴状態に変換させて可視化部５において画像化する。
【００２４】
モータ駆動部３は、上記ＥＳＲ／ＮＭＲ信号に基づいてモータ１５の回転角度、すなわち磁石１２の回転角度を制御する。
【００２５】
図２は、磁場発生部の正面図を示している。図示するように、円筒形の永久磁石１２が、矢印方向（時計方向）に回転していくと、静磁場Ａに形成される磁束Ｃの密度が変化していく。永久磁石１２は回転軸を中心にＮ極とＳ極が点対称に位置しているため、静磁場Ａに形成される磁束Ｃの密度は、１回転を１周期として変化する。本実施形態では、ＥＳＲモードの時の角度θ１において、静磁場Ａでの磁束密度Ｂ１＝０．００１Ｔとなり、ＮＭＲモードの時の角度θ２において磁束密度Ｂ２＝０．１Ｔとなるように、永久磁石１２の磁力設定とモータ１５の角度制御とが行われる。
【００２６】
図３は、ＲＦ制御部４の概略構成図である。ＲＦ制御部４は、ＲＦ制御部本体４０と、送受信切り換え部４１とこれらの間に接続される増幅器とで構成される。ＲＦ制御部本体４０は、制御部２から送られてくるＥＳＲ／ＮＭＲ信号に応じて２８．０ＭＨｚの高周波（ＥＳＲモード）もしくは４．２５ＭＨｚの高周波（ＮＭＲモード）を送信タイミングＴで出力し、受信タイミングＲでＲＦコイル１６の検出信号を受信する。送受信切り換え部４１は、送信タイミングＴで、２８．０ＭＨｚの高周波または４．２５ＭＨｚの高周波をＲＦコイル１６に出力し、受信タイミングＲでＲＦコイ１５での検出信号を受信してＲＦ制御部本体４０に入力する。
【００２７】
図４は、永久磁石１２の回転角度θに対する磁束密度Ｂ、及びＲＦ制御部４から出力される電磁波の周波数ｆの変化を示している。すなわち、回転角度θ１では、磁束密度Ｂが、Ｂ１＝０．０１Ｔに制御され、電磁波の周波数ｆが、ｆ１＝２８．０ＭＨｚに制御される。また、回転角度θ２では、磁束密度Ｂが、Ｂ２＝０．１Ｔに制御され、電磁波の周波数ｆが、ｆ２＝４．２５ＭＨｚに制御される。
【００２８】
以上の制御により、第１段階において、永久磁石１２の制御角度をθ１にして、静磁場Ａでの磁束密度をＢ１＝０．０１Ｔとし、また、電磁波の周波数ｆを、ｆ１＝２８．０ＭＨｚにすることで被検体Ｂ内において電子スピン共鳴状態を発生させる。このとき、電子スピン共鳴を飽和させることが望ましい。そして、この状態から急速にモータ１５を駆動して第２段階に移行し、永久磁石１２の回転角度をθ２にする。すると、静磁場Ａでの磁束密度がＢ２＝０．１Ｔとなる。また、電磁波の周波数をｆ１＝４．２５ＭＨｚに制御する。すると、オーバーハウザー効果により電子スピン→核スピンとなり電子スピンの空間分布が電子スピンとスピン結合した核スピンの空間分布に展開される。この状態が、ＲＦ制御部４によって検出され、可視化部５により画像化される。
【００２９】
なお、θ１からθ２への切り換え時間はできるだけ短いのが好ましいが、実用的には数十ｍｓ以下であればよい。また、電子スピン共鳴を生じさせるための磁束密度Ｂ１は、上記実施形態では０．０１Ｔとしたが、０．００１〜０．０１Ｔ程度の範囲であれば生体への影響および表皮効果の影響を無くし、且つ所望の測定感度を得ることができる。また、核スピン共鳴を生じさせるにはできるだけ高い磁場を使用するのが有利であるが、使用できる磁極ギャップと磁気飽和の観点から、最大で２Ｔ位、実際には０．５Ｔ程度である。また、静磁場Ａ内に永久磁石１２の回転軸に平行で、かつ直線的な静磁場均一度の高い領域を形成させた場合には、永久磁石１２の回転角度と電磁波の周波数を切り換えながら、支持手段１１をテーブル１０に対して矢印Ｐ方向に移動することにより、磁場発生手段によって被検体Ｂを走査することができる。また，静磁場Ａ内にある１点のみが均一度の高い領域，いわゆる磁場焦点を形成させた場合には、永久磁石１２の回転角度と電磁波の周波数を切り換えながら、支持手段１１をテーブル１０に対して矢印Ｐ方向に加え、これと垂直な方向にも移動することにより磁場発生手段により被検体Ｂを走査することができる。また、磁場発生手段を固定し、被検体Ｂを同様な手段で移動させてもよい。こうすることでラジカルの分布を測定することが可能である。
【００３０】
また、図５に示すように、永久磁石１２をモータ１５によって連続的に回転させることによっても上記測定が可能である。図５に示す例では、θ３＝θ１＋１８０°、θ４＝θ２＋１８０°、θ５＝θ１＋３６０°、θ６＝θ２＋３６０°、θ７＝θ１＋５４０°、θ８＝θ２＋５４０°、・・・となっている。
【００３１】
本発明の電子スピン共鳴状態測定装置は、測定対象として生体以外にも適用が可能である。また、静磁場Ａでの磁束密度を可変する他の方法として、永久磁石１２を静磁場Ａに対して上下方向に移動させる構造も可能である。このような構造は、永久磁石をラックピニオン機構とモータを使用して上下動させることで可能である。その他、永久磁石の磁極の位置を変更することによって静磁場Ａの磁束密度を制御するものであればどのような構造を採用してもよい。
【００３２】
（本発明の別の実施形態）
図６は、本発明の別の実施形態である電子スピン共鳴状態測定装置の構成図である。また、図７は、電子スピン共鳴状態測定装置の正面図を示す。さらに、図８は、同装置の制御部の構成図である。
【００３３】
この電子スピン共鳴状態測定装置は、装置本体１００と、全体の制御を司るパルス系列・駆動制御部２００（図８）と、永久磁石１１０の回転軸に連結されたモータ１２０（図６）を駆動制御するモータ駆動部３００（図８）と、電子スピン共鳴コイルおよび核スピン共鳴コイルに接続される高周波制御部４００と、電子スピン-核スピン二重共鳴による動的分極によって電子スピン共鳴を核スピン共鳴に移したときの核スピン共鳴信号を観測するための増幅検波器５００と、位置情報を得るための磁場勾配発生部６００と、得られた信号を蓄積し演算処理して画像を構成する蓄積・演算処理部７００と、表示部８００とを備えている。
【００３４】
前記磁場勾配発生部６００の出力は、後述のｘ，ｙ，ｚ勾配コイルに導かれる。また、静磁場に置かれる後述のＥＳＲコイルとＮＭＲコイルには、それぞれ、電子スピン共鳴用の高周波磁場（回転磁場）形成用の信号と、核スピン共鳴用の高周波磁場（回転磁場）形成用の信号が出力される。
【００３５】
図８において、高周波制御部４００は、電子スピン共鳴用高周波発振器４１０と、核スピン共鳴用高周波発振器４１１と、前記電子スピン共鳴用高周波発振器４１０の出力をパルス発生器４１６で発生するパルスによって変調する変調器４１２と、前記核スピン共鳴用高周波発振器４１１の出力をパルス発生器４１６で発生するパルスによって変調する変調器４１３と、変調出力を増幅する増幅器４１４、４１５と、前記パルス系列・駆動制御部２００で駆動制御されるパルス発生器４１６とを備えている。増幅器４１５は、図３の送受信切り換え部（Ｔ／Ｒスイッチ）４１と同様の機能を兼用している。
【００３６】
上記の構成において、制御部のモータ駆動部３００及び高周波制御部４００には、本装置が電子スピン共鳴モード（ＥＳＲモード）で動作するか、核スピン共鳴モード（ＮＭＲモード）で動作するかを示す信号が入力する。そして、第１段階でＥＳＲモードで動作させ、第２段階でＮＭＲモードで動作させるようにＥＳＲ／ＮＭＲ信号が入力する。
【００３７】
図６及び図７において、装置本体１００には、測定対象である被検体を置くための被検体載置台１０１が設けられている。図７では、被検体載置台１０１に被検体支持部１０２が取り付けられ、この被検体支持部１０２に被検体１０３が取り付けられている。
【００３８】
磁場発生手段は、周面に異なった磁極（Ｎ極とＳ極）が着磁されている円筒形の永久磁石１１０と、この永久磁石１１０の周面に上下の非磁性体１０５ａ、１０５ｂを介して対向配置された一対のヨーク１０６ａ、１０６ｂとを備えている。永久磁石１１０と非磁性体１０５及び一対のヨーク１０６との隙間は非常に小さく、この部分での漏れ磁束量が多くならないようにしている。
【００３９】
前記磁場発生手段を構成する永久磁石１１０の回転軸は、一端が図示しない軸受けで支持され、他端がモータ１２０に連結されている。モータ１２０には、永久磁石の回転角度を正確に制御できるよう、たとえばステッピングモータが使用される。また、急速に回転できるよう高トルクのものが使用される。モータ駆動部３００（図８）によってこのモータ１２０が制御されて、永久磁石１１０の角度が精密に制御される。
【００４０】
一対のヨーク１０６ａ、１０６ｂの内側の側面が対向している部分には一定の大きさの空間が形成されている。このヨーク１０６ａ、１０６ｂの内側の側面には、それぞれ円形平板状のポールピース１０７ａ、１０７ｂが固定されている。このことによってポールピース間に均一度の高い静磁場Ｄが形成されるようにしている。各ポールピース間には、コイル部１３０（図６参照）が配置されている（図６では、コイル部詳細の図示を略している）。コイル部１３０は、静磁場Ｄの均一度を高めるための電流シムコイルと磁場勾配を発生させるための磁場勾配コイルを含んでいる。図７において、コイル１０８ａ、１０８ｂが、磁場勾配コイル兼電流シムコイルを構成し、各ポールピース上に形成されている。なお、本実施形態では、コイル１０８ａ、１０８ｂのそれぞれのコイルで、流す電流を制御することによって、電流シムコイルと勾配磁場コイルを併用するようにしている。
【００４１】
図９に磁場勾配コイル兼電流シムコイルであるコイル１０８ａを示す（この例では、片方のコイル１０８ａのみ示している）。コイル１０８ａは、１対のｙ勾配コイル、１対のｘ勾配コイル、及びループ状のマックスウェル型のｚ勾配コイルからなる複数のコイル群で構成されている。xおよびy勾配は、ｘ勾配コイルとｙ勾配コイルによって発生させ、z勾配はｚ勾配コイルで発生させる。
【００４２】
コイル部１３０（図６）は、さらに、電子スピン共鳴用の高周波磁場（回転磁場）コイル（ＥＳＲコイル）と、核スピンの共鳴を観測するための高周波磁場（回転磁場）コイル（ＮＭＲコイル）を含んでいる。前記静磁場Ｄにおいて、このＥＳＲコイルとＮＭＲコイルが配置される。
【００４３】
図１０は、ＥＳＲコイルとＮＭＲコイルを示す。
【００４４】
ＥＳＲコイルは、その軸が静磁場Ｄと垂直になるように配置される。図８、図１０のように、ＥＳＲコイルは鞍型の形状を持つコイルとしているが、電子スピンを励起する高周波磁場が発生できるものであれば、その形状はどのようなものであっても良い。また、ＮＭＲコイルは、その軸が静磁場Ｄの軸に対して垂直になるように配置される。図８、図１０では、ＮＭＲコイルはソレノイドコイルとしているが、均一な高周波磁場が発生できるものであれば、その形状はどのようなものであっても良い。図８、図１０に示すように、本実施形態では、ＥＳＲコイルとＮＭＲコイルの軸も垂直になるようにしている。
【００４５】
制御部のモータ駆動部３００及び高周波制御部４００には、本装置が電子スピン共鳴モード（ＥＳＲモード）で動作するか、核スピン共鳴モード（ＮＭＲモード）で動作するかを示す信号が入力する。そして、最初の実施形態と同様に、第１段階でＥＳＲモードで動作させ、第２段階でＮＭＲモードで動作させるようにＥＳＲ／ＮＭＲ信号が入力する。これにより、オーバーハウザー効果を利用して被検体内で生じた電子スピン共鳴状態を核スピン共鳴状態に変換させて、その信号強度変化として検出する。そして、x、y、zそれぞれの磁場勾配コイルに流す電流およびタイミングを系統的に変化させて、信号を検出し、一連のデータを蓄積し、それらを演算処理することによって、画像を構成する。
【図面の簡単な説明】
【００４６】
【図１】本発明の実施形態である電子スピン共鳴状態測定装置の構成図
【図２】磁場発生手段の正面図
【図３】ＲＦ制御部の構成図
【図４】モード変更時の磁束密度及び電磁波周波数の変遷を示す図
【図５】永久磁石を連続的に回転して測定する時の磁束密度及び電磁波周波数の変遷を示す図
【図６】本発明の別の実施形態である電子スピン共鳴状態測定装置の構成図
【図７】電子スピン共鳴状態測定装置の正面図
【図８】同装置の制御部の構成図
【図９】磁場勾配コイル兼電流シムコイルの構成図
【図１０】ＥＳＲコイルとＮＭＲコイルの構成図
【符号の説明】
【００４７】
１−電子スピン共鳴状態測定装置本体
１２−永久磁石
１３（１３ａ、１３ｂ）−非磁性体
１４（１４ａ、１４ｂ）−ヨーク
１５−モータ
１６−ＲＦコイル
【図１】
2005147693.tif 000003
【図２】
2005147693.tif 000004
【図３】
2005147693.tif 000005
【図４】
2005147693.tif 000006
【図５】
2005147693.tif 000007
【図６】
2005147693.tif 000008
【図７】
2005147693.tif 000009
【図８】
2005147693.tif 000010
【図９】
2005147693.tif 000011
【図１０】
2005147693.tif 000012